(57)【要約】【目的】  その出力均一度を優良なものとし、フラットディスプレイがグレイ画面を表示する時に優良な画像とするデータドライバーと駆動方法を提供する。【解決手段】  データドライバーが複数個の負荷と複数個のデータ信号を有する信号ソースに接続され、異なる時間において、複数個のデータ信号によって同一負荷を駆動する、あるいは、異なる時間において、同一のデータ信号によって複数個の異なる負荷を駆動するものからその駆動方法を構成し、そのデータドライバーが、複数個の負荷と複数個のデータ信号を有する信号ソースに接続され、複数個のデータ駆動ユニット・複数個の入力端・複数個の出力端を含むマルチプレクサーと、マルチプレクサーに接続されるとともに、周期的に複数個の制御信号を出力して、マルチプレクサーが複数個の制御信号に基づき、異なる時間において、複数個のデータ駆動ユニットを介し、複数個の異なるデータ信号によって同一負荷を駆動する制御回路、あるいは同一のデータ信号によって複数個の異なる負荷を駆動する制御回路とを具備する。【選択図】図１
2005301007.tif 000002
【特許請求の範囲】
【請求項１】
データドライバーが、複数個の負荷ならびに複数個のデータ信号を有する信号ソースに接続されるものであって、異なる時間において、前記した複数個のデータ信号によって前記した同一負荷を駆動することを特徴とするデータドライバーの駆動方法。
【請求項２】
データドライバーが、複数個の負荷ならびに複数個のデータ信号を有する信号ソースに接続されるものであって、異なる時間において、前記した同一のデータ信号によって前記した複数個の異なる負荷を駆動することを特徴とするデータドライバーの駆動方法。
【請求項３】
複数個の負荷ならびに複数個のデータ信号を有する信号ソースに接続されるものであって、
複数個のデータ駆動ユニット、複数個の入力端および複数個の出力端を含むマルチプレクサーと、
前記マルチプレクサーに接続されるとともに、周期的に複数個の制御信号を出力して、前記マルチプレクサーが前記した複数個の制御信号に基づき、異なる時間において、前記した複数個のデータ駆動ユニットを介し、前記した複数個の異なるデータ信号によって前記した同一負荷を駆動するための制御回路と
を具備するデータドライバー。
【請求項４】
複数個の負荷ならびに複数個のデータ信号を有する信号ソースに接続されるものであって、
複数個のデータ駆動ユニット、複数個の入力端および複数個の出力端を含むマルチプレクサーと、
前記マルチプレクサーに接続されるとともに、周期的に複数個の制御信号を出力して、前記マルチプレクサーが前記した複数個の制御信号に基づき、異なる時間において、前記した複数個のデータ駆動ユニットを介し、前記した同一のデータ信号によって前記した複数個の異なる負荷を駆動するための制御回路と
を具備するデータドライバー。
【請求項５】
前記マルチプレクサーが、さらに、複数本の制御線を含み、前記制御回路から送られてくる前記した複数個の制御信号を受信し、かつ前記した複数本の制御線のうち任意の１本が、対応する前記した複数個のデータ駆動ユニットの１つに接続されるものである請求項３または４記載のデータドライバー。
【請求項６】
前記した複数個のデータ駆動ユニットが、複数個のトランジスターを含み、かつ各トランジスターのゲートが対応する前記した複数本の制御線の１つに接続され、各トランジスターのドレインが、前記マルチプレクサーの前記した複数個の入力端の１つに接続され、各トランジスターのソースが、前記マルチプレクサーの前記した複数個との出力端の１つに接続されるものである請求項３または４記載のデータドライバー。
【請求項７】
前記した複数個のトランジスターが、低温多結晶シリコントランジスターである請求項３または４記載のデータドライバー。
【発明の詳細な説明】
【技術分野】
【０００１】
この発明は、データ線駆動方法に関し、特に、多重駆動方式で駆動する液晶ディスプレイのデータ線駆動方法に関する。
【背景技術】
【０００２】
マルチメディア社会の急速な進展は、多くを半導体素子またはヒューマン・マシン表示装置の飛躍的な進歩に負っている。表示器について言えば、陰極線管（Cathode Ray Tube = CRT）が優良な表示品質とその経済性とにより、昔から市場をずっと独占していたが、個人がディスク上で同時に多くの端末／表示器を操作する環境、あるいは環境保護の観点から見ると、もしもエネルギーを節約する潮流から予測すれば、陰極線管は、利用空間およびエネルギー消費という点で多くの問題が存在しており、軽・薄・短・小ならびに低消費電力というニーズに対して解決の道筋を有効に提供することができなかった。従って、高画質で、空間利用効率が良く、低消費電力で、放射線がない等の優秀な特性を備えた薄膜トランジスター液晶ディスプレイ（Thin Film Transistor Liquid Crystal Display = TFT LCD）が既に市場の主流となってきている。
【０００３】
図３において、従来技術にかかるフラットディスプレイのデータ線駆動回路を示すと、図３中、３つのデータ信号の信号ソースが３本のデータ線Ｒ，Ｇ，Ｂに接続されるとともに、データ線Ｒ，Ｇ，Ｂを直接駆動するようになっている。
【０００４】
図４において、従来技術にかかるフラットディスプレイの別なデータ線駆動回路を示すと、図４中、３つのデータ信号の信号ソースが３つのデータ線ユニット５０２，５０４，５０６に接続されている。データ線ユニット５０２は、３本のデータ線ＲＡ，ＧＡ，ＢＡを含み、データ線ユニット５０４は、３本のデータ線ＲＢ，ＧＢ，ＢＢを含み、データ線ユニット５０６は、３本のデータ線ＲＣ，ＧＣ，ＢＣを含んでいる。各データ線ユニットは、それぞれが接続された信号ソースにより駆動され、相互間のビデオ電圧は、他の信号ソースからの影響を受けない。
【発明の開示】
【発明が解決しようとする課題】
【０００５】
従来技術にかかるフラットディスプレイのデータ線駆動方式において、データ線上のビデオ電圧が他の信号ソースからの影響を受けないので、信号ソース相互間の均一度が良くない時、データ線駆動に用いるビデオ電圧もまたそれに伴い不正確なものに変わる。一般的に、この変動量は、工程能力により制限を受けるものであって、５〜５０mVの差があり、その差がグレイ画面を表示する時に直線状の表示不良をもたらし、フラットディスプレイの映像画面を不均一なものとしていた。
【０００６】
そこで、この発明の第１の目的は、多重駆動方式を利用して、異なる時間に異なるデータ信号で同一負荷を駆動、あるいは異なる時間に同一データ信号で異なる負荷を駆動して、フラットディスプレイのデータドライバーの出力均一度を優良なものとし、フラットディスプレイがグレイ画面を表示する時に優良な画像とすることのできる、データドライバーのデータ線駆動方法を提供することにある。この発明の第２の目的は、データ信号ソースと単一データ線との間にマルチプレクサーまたはセレクターを増設して、データ信号ソースが多重駆動方式で単一データ線を駆動することのできるデータドライバーを提供することにある。この発明の第３の目的は、データ信号ソースと複数ユニットのデータ線負荷との間にマルチプレクサーまたはセレクターを増設して、データ信号ソースが多重駆動方式で負荷を駆動することのできるデータドライバーを提供することにある。
【課題を解決するための手段】
【０００７】
前記課題を解決し、所望の目的を達成するために、この発明にかかるデータドライバーのデータ線駆動方法は、データドライバーが、複数個の負荷ならびに複数個のデータ信号を有する信号ソースに接続されるものであって、異なる時間において、前記した複数個のデータ信号によって前記した同一負荷を駆動することを特徴とする、あるいは、異なる時間において、前記した同一のデータ信号によって前記した複数個の異なる負荷を駆動することを特徴とするものから構成される。
【０００８】
複数個の負荷ならびに複数個のデータ信号を有する信号ソースに接続されるものであって、複数個のデータ駆動ユニット、複数個の入力端および複数個の出力端を含むマルチプレクサーと、前記マルチプレクサーに接続されるとともに、周期的に複数個の制御信号を出力して、前記マルチプレクサーが前記した複数個の制御信号に基づき、異なる時間において、前記した複数個のデータ駆動ユニットを介し、前記した複数個の異なるデータ信号によって前記した同一負荷を駆動する制御回路、あるいは前記した同一のデータ信号によって前記した複数個の異なる負荷を駆動する制御回路とを具備するものから構成される。
【０００９】
この発明の主要な特徴は、異なる時間において、異なるデータ信号により同一負荷を駆動、あるいは、異なる時間において、同一データ信号により異なる負荷を駆動することにある。
【発明の効果】
【００１０】
前記構成により、この発明にかかるデータドライバーのデータ線駆動方法は、多重駆動方式により各データ信号で各データ線を駆動するので、フラットディスプレイのデータドライバーの出力均一度が優良なものとなり、フラットディスプレイがグレイ画面を表示する時に、優良な画像を得ることができる。従って、産業上の利用価値が高い。
【発明を実施するための最良の形態】
【００１１】
以下、この発明にかかる好適な実施形態を図面に基づいて説明する。
図１（ａ）において、この発明の実施形態にかかるデータドライバーのデータ線駆動方法のフローチャートを示すと、フラットディスプレイに適用されるものであって、この技術に習熟した者であれば容易に分かるように、フラットディスプレイは、液晶ディスプレイまたは有機発光ダイオードディスプレイとすることができるが、いずれもこれらに限定するものではない。このデータドライバーには、マルチプレクサー２２０および制御回路２１０を含み、かつマルチプレクサーが複数個のデータ駆動ユニット２３０を備える（図２を参照）。
【００１２】
この実施形態において、データドライバーの多重駆動方法は、信号ソースが出す多数個のデータ信号をマルチプレクサーにより受信し、かつデータドライバーがフラットディスプレイの多数個の負荷に接続されているものである（Ｓ１０２）。
【００１３】
この実施形態において、マルチプレクサーがこれらの制御信号を受信する時、制御回路の出力する多数個の制御信号に基づいて、これらのデータ信号とこれらの負荷との間の対応関係に多種類の変化を生じさせるものである（Ｓ１０４）。
【００１４】
この実施形態において、データ信号と負荷との対応関係の１種類の変化は、異なる時間に、これらのデータ駆動ユニットを介して異なるデータ信号により同一の負荷を駆動するものである。
【００１５】
この実施形態において、データ信号と負荷との対応関係の別な１種類の変化は、異なる時間に、これらのデータ駆動ユニットを介して同一のデータ信号により異なる負荷を駆動するものである。
【００１６】
図２において、データドライバー２００は、３つの負荷２６０，２６２，２６４および３つのデータ信号の信号ソース２４０に接続されている。このデータドライバー２００は、制御回路２１０とマルチプレクサー２２０とを含んでいる。この実施形態において、マルチプレクサー２２０は、３つの入力端２７０，２７２，２７４および３つの出力端２８０，２８２，２８４を有して、これらのデータ信号を受信ならびに出力する。制御回路２１０は、マルチプレクサー２２０に接続されて、周期的に３つの制御信号の１つを出力するとともに、マルチプレクサー２２０にこれらの制御信号の１つに基づいてデータ信号２７０，２７２，２７４の１つを負荷２６０，２６２，２６４の１つへ出力するよう決定させる。そのうち、出力端２８０は、負荷２６０に接続され、出力端２８２は、負荷２６２に接続され、出力端２８４は、負荷２６４に接続されている。
【００１７】
この実施形態において、マルチプレクサー２２０は、３本の制御線２１２，２１４，２１６を含み、制御回路からの制御信号を受信し、かつ制御線２１２が３つのトランジスター２２２，２２４，２２６に接続され、制御線２１４が３つのトランジスター２３２，２３４，２３６に接続され、制御線２１６が３つのトランジスター２４２，２４４，２４６に接続されている。そのうち、各トランジスターのゲートがそれぞれ対応する制御線に接続され、各トランジスターのドレインがマルチプレクサー２２０の各入力端２７０，２７２，２７４の１つに接続され、各トランジスターのソースがマルチプレクサー２２０の各出力端２８０，２８２，２８４の１つに接続されている。
【００１８】
この実施形態において、マルチプレクサー２２０がデータ信号を受信した時、先ず制御回路２１０により制御信号を制御線２１２へ出力し、トランジスター２２２，２２４，２２６が導通する。従って、入力端２７０のデータ信号が負荷２６０を駆動し、入力端２７４のデータ信号が負荷２６４を駆動する。
【００１９】
制御回路２１０が制御信号を制御線２１４へ出力する時、トランジスター２３２，２３４，２３６が導通する。従って、入力端２７０からのデータ信号が負荷２６４を駆動し、入力端２７２からのデータ信号が負荷２６０を駆動し、入力端２７４からのデータ信号が負荷２６２を駆動する。
【００２０】
制御回路２１０が制御信号を制御線２１６へ出力する時、トランジスター２４２，２４４，２４６が導通する。従って、入力端２７０からのデータ信号が負荷２６２を駆動し、入力端２７２からのデータ信号が負荷２６４を駆動し、入力端２７４からのデータ信号が負荷２６０を駆動する。
【００２１】
この発明の好適な実施形態において、この技術に習熟した者であれば分かるように、負荷２６０は、フラットディスプレイのＲデータ線（赤色データ線）であることができ、負荷２６２は、フラットディスプレイのＧデータ線（緑色データ線）であることができ、負荷２６４は、フラットディスプレイのＢデータ線（青色データ線）であることができるが、いずれもこれに限定するものではない。
【００２２】
図１（ｂ）において、この発明の好適な実施形態にかかる別なデータドライバーの回路構成図を示すと、図１（ｂ）中、図２との違いは、負荷３６０がＲＡ，ＧＡ，ＢＡという３本のデータ線を含み、負荷３６２がＲＢ，ＧＢ，ＢＢという３本のデータ線を含み、負荷３６４がＲＣ，ＧＣ，ＢＣという３本のデータ線を含むことである。
【００２３】
同じく、図１（ｂ）において、この実施形態中、その動作は、マルチプレクサー２２０がデータ信号を受信した時、先ず制御回路２１０により制御信号を制御線２１２へ出力し、トランジスター２２２，２２４，２２６が導通するものである。従って、出力端２７０からのデータ信号が負荷３６０のＲＡ，ＧＡ，ＢＡという３本のデータ線を駆動し、出力端２７２からのデータ信号が負荷３６２のＲＢ，ＧＢ，ＢＢという３本のデータ線を駆動し、出力端２７４からのデータ信号が負荷３６４のＲＣ，ＧＣ，ＢＣという３本のデータ線を駆動する。
【００２４】
制御回路２１０が制御信号を制御線２１４へ出力する時、トランジスター２３２，２３４，２３６が導通する。従って、入力端２７０からのデータ信号が負荷３６４のＲＣ，ＧＣ，ＢＣという３本のデータ線を駆動し、出力端２７２からのデータ信号が負荷３６０のＲＡ，ＧＡ，ＢＡという３本のデータ線を駆動し、負荷２７４からのデータ信号が負荷３６２のＲＢ，ＧＢ，ＢＢという３本のデータ線を駆動する。
【００２５】
制御回路２１０が制御信号を制御線２１６へ出力する時、トランジスター２４２，２４４，２４６が導通する。従って、入力端２７０からのデータ信号が負荷３６２のＲＢ，ＧＢ，ＢＢという３本のデータ線を駆動し、入力端２７２からのデータ信号が負荷３６４のＲＣ，ＧＣ，ＢＣという３本のデータ線を駆動し、入力端２７２からのデータ信号が負荷３６０のＲＡ，ＧＡ，ＢＡという３本のデータ線を駆動する。
【００２６】
この発明の好適な実施形態において、トランジスター２２２，２２４，２２６は、データ駆動ユニット２３０とすることができるが、これに限定するものではない。
【００２７】
この発明の好適な実施形態において、トランジスター２２２，２２４，２２６，２３２，２３４，２３６，２４２，２４４，２４６は、低温多結晶シリコントランジスターとすることができるが、これに限定するものではない。
【００２８】
この発明の好適な実施形態において、この技術に習熟した者であれば分かるように、マルチプレクサー２２０は、さらに、セレクターとすることができるが、これに限定するものではない。
【００２９】
以上のごとく、この発明を好適な実施例により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【図面の簡単な説明】
【００３０】
【図１】（ａ）は、この発明にかかるデータ線駆動方法を示すフローチャート、（ｂ）は、この発明にかかる別なデータドライバーを示す回路構成図である。
【図２】この発明にかかるデータドライバーを示す回路構成図である。
【図３】従来技術にかかるデータドライバーを示す回路構成図である。
【図４】従来技術にかかる別なデータドライバーを示す回路構成図である。
【符号の説明】
【００３１】
２００  データドライバー
２１０  制御回路
２２０  マルチプレクサー
２３０  データ駆動ユニット
２４０  記号ソース
２１２，２１４，２１６  制御線
２２２，２２４，２２６，２３２，２３４，２３６，２４２，２４４，２４６  トランジスター
２６０，２６２，２６４，３６０，３６２，３６４  負荷
２７０，２７２，２７４  入力端
２８０，２８２，２８４  出力端
Ｒ，ＲＡ，ＲＢ，ＲＣ  赤色データ線
Ｇ，ＧＡ，ＧＢ，ＧＣ  緑色データ線
Ｂ，ＢＡ，ＢＢ，ＢＣ  青色データ線
Ｓ１０２  多数個のデータ信号と多数個の負荷を提供する。
Ｓ１０４  多数個の制御信号に基づき、多数個のデータ信号および多数個の負荷間の対応関係に多種類の変化を持たせる。
【図１】
2005301007.tif 000003
【図２】
2005301007.tif 000004
【図３】
2005301007.tif 000005
【図４】
2005301007.tif 000006